(57)【要約】【課題】簡素な構成で、光学素子を高精度に位置決めすることができる画像読取装置を提供する。【解決手段】画像読取装置１０は、主走査方向に亘って被読取体に光を出射する光源２０と、被読取体によって反射された光を受光する受光部４０と、被読取体によって反射された光を結像して受光部４０に導く光学系３０と、を備え、光学系３０は、被読取体によって反射された光を反射させる反射ミラー３３と、反射ミラー３３に近接して配置され、被読取体によって反射された光を結像する光学素子３５と、を含み、光学素子３５は、反射ミラー３３によって保持されている。【選択図】図１
2018078440.tif 000002
【特許請求の範囲】
【請求項１】
主走査方向に亘って被読取体に光を出射する光源と、
被読取体によって反射された光を受光する受光部と、
被読取体によって反射された光を結像して前記受光部に導く光学系と、を備え、
前記光学系は、ガラス製の反射ミラーと、前記反射ミラーに近接して配置され、被読取体によって反射された光を結像する樹脂製の光学素子と、を含み、
前記光学素子は、前記反射ミラーによって保持されている、画像読取装置。
【請求項２】
前記反射ミラーを前記光学素子に向けて押圧する押圧部材をさらに備え、
前記押圧部材を用いて、前記光学素子と前記反射ミラーとを固定する、請求項１に記載の画像読取装置。
【請求項３】
前記光学系を収容する筐体をさらに備え、
前記押圧部材は、前記筐体に係合する係合部を有し、
前記係合部が前記筐体に係合することにより、前記押圧部材が前記筐体に支持される、請求項２に記載の画像読取装置。
【請求項４】
前記反射ミラーは、光を反射させるための反射面を有し、
前記反射面にて反射される光路とは反対側に、前記押圧部材が配置されている、請求項２または３に記載の画像読取装置。
【請求項５】
前記光学系を収容する筐体をさらに備え、
前記反射ミラーは、前記光学素子からはみ出すはみ出し部を有し、
前記はみ出し部は、前記筐体に保持される、請求項１から４のいずれか１項に記載の画像読取装置。
【請求項６】
前記光学素子は、被読取体によって反射された光を結像するレンズ部と、接続部とを含み、
前記レンズ部は、副走査方向に対応する方向に沿って並ぶ第１レンズ部および第２レンズ部を有し、
前記接続部は、前記第１レンズ部と前記第２レンズ部とを接続し、
前記反射ミラーは、前記副走査方向に対応する方向において、前記第１レンズ部と前記第２レンズ部との間に配置され、
前記接続部は、前記反射ミラーに取り付けられている、請求項１から５のいずれかに記載の画像読取装置。
【請求項７】
前記光学素子は、被読取体によって反射された光を結像するレンズ部と、前記レンズ部に対して副走査方向に対応する方向に沿って位置するように前記レンズ部に接続され、前記受光部に向かう光に交差可能に設けられた交差部とを含み、
前記交差部は、前記受光部に向かう光を絞る開口部を有する、請求項１から６のいずれか１項に記載の画像読取装置。
【請求項８】
前記反射ミラーは、前記交差部に対して、前記交差部に向けて入射される光の進行方向の前方側に位置し、前記開口部を通過した光を反射する、請求項７に記載の画像読取装置。
【請求項９】
前記光学素子は、被読取体によって反射された光を結像するレンズ部を有し、
前記レンズ部および前記反射ミラーは、上下方向に沿って並ぶように配置されている、請求項１から８のいずれか１項に記載の画像読取装置。
【請求項１０】
前記光学素子は、反射型の結像部材である、請求項１から９のいずれか１項に記載の画像読取装置。
【請求項１１】
前記光学素子は、被読取体によって反射された光を結像し、主走査方向に対応する方向に沿って並んで配置されるレンズ部を複数含み、
複数の前記レンズ部は、一体に成形されている、請求項１から１０のいずれか１項に記載の画像読取装置。
【発明の詳細な説明】
【技術分野】
【０００１】
本発明は、被読取体の画像を読み取って画像信号を取得する画像読取装置に関する。
【背景技術】
【０００２】
従来の画像読取装置の例として、屈折率分布レンズアレイを用いたCISセンサ（密着型イメージセンサ）と呼ばれるものが存在する。CISイメージセンサはLEDからの光を原稿に照射し、その反射光をセルフォック（登録商標）レンズと呼ばれる正立等倍結像レンズアレイによってイメージセンサへ結像し画像情報を読み取るものである。
【０００３】
このセルフォック（登録商標）レンズアレイを用いたCISイメージセンサは瞳分割光学系と呼ばれ１つの点に対して複数のレンズから光を集める光学系であるため、原稿位置が少し変化すると隣接するレンズからの像がずれて重なるため被写界深度が狭くなる。
【０００４】
そこで、被写界深度を深くできる画像読取装置として、特開２００９−２４４５００号公報（特許文献１）には、反射ミラーアレイを用いた光学系を有する画像読取装置が開示されている。反射ミラーアレイを用いた光学系を使用する場合には、複数の反射ミラーおよび複数のレンズを配置する必要が生じる。このため、性能を確保するために光学素子を高精度に位置決めすることが要求される。
【０００５】
光学素子を高精度に位置決めし、自重たわみや反りを発生することなく、結像光学系の長手方向における深度方向の相対位置を一定に保つことができる画像読取装置が、たとえば特開２０１５−１５９４４４号公報（特許文献２）に開示されている。特許文献２に開示の画像読取装置にあっては、ベースに一つ一つの光学素子を並べ、間隔保持部材を用いて、反射板とベース板との間の間隔を調整する。
【０００６】
発光素子アレイ基板を高精度で保持することができる保持機構が、たとえば、特開２００１−２５０９８９号公報（特許文献３）に開示されている。特許文献３に記載の保持機構にあっては、複数個の発光素子を直線状に配列してなる発光素子アレイを搭載した発光素子アレイ基板をガラス平板に倣わせて保持する。これにより、たわみや温度変化による基板のそりを抑制することができる。
【先行技術文献】
【特許文献】
【０００７】
【特許文献１】特開２００９−２４４５００号公報
【特許文献２】特開２０１５−１５９４４４号公報
【特許文献３】特開２００１−２５０９８９号公報
【発明の概要】
【発明が解決しようとする課題】
【０００８】
しかしながら、特許文献２に開示の画像読取装置にあっては、上述のように、ベースに一つ一つの光学素子を並べるとともに、間隔保持部材を用いて、ベース部に対向配置された反射板と、ベースとの間の間隔を調整する構成となるため、構成が複雑となる。
【０００９】
また、特許文献３に開示の保持機構にあっては、長手方向に相当程度長いガラス平板を追加する必要があり、部品点数が増加するとともに、コストが増加する。
【００１０】
本発明は、上記のような問題に鑑みてなされたものであり、本発明の目的は、簡素な構成で、光学素子を高精度に位置決めすることができる画像読取装置を提供することにある。
【課題を解決するための手段】
【００１１】
本発明に基づく画像読取装置は、主走査方向に亘って被読取体に光を出射する光源と、被読取体によって反射された光を受光する受光部と、被読取体によって反射された光を結像して上記受光部に導く光学系と、を備え、上記光学系は、被読取体によって反射された光を反射させる反射ミラーと、上記反射ミラーに近接して配置され、被読取体によって反射された光を結像する光学素子と、を含み、上記光学素子は、上記反射ミラーによって保持されている。
【００１２】
上記本発明に基づく画像読取装置は、上記反射ミラーを上記光学素子に向けて押圧する押圧部材をさらに備えることが好ましく、上記押圧部材を用いて、上記光学素子と上記反射ミラーとを固定することが好ましい。
【００１３】
上記本発明に基づく画像読取装置は、上記光学系を収容する筐体をさらに備えることが好ましい。この場合には、上記押圧部材は、上記筐体に係合する係合部を有していてもよい。さらにこの場合には、上記係合部が上記筐体に係合することにより、上記押圧部材が上記筐体に支持されることが好ましい。
【００１４】
上記本発明に基づく画像読取装置にあっては、上記反射ミラーは、光路を折り返すための反射面を有し、上記反射面に対して光路とは反対側に、上記押圧部材が配置されていることが好ましい。
【００１５】
上記本発明に基づく画像読取装置は、上記光学系を収容する筐体をさらに備えることが好ましい。この場合には、上記反射ミラーは、上記光学素子からはみ出すはみ出し部を有していてもよい。さらにこの場合には、上記はみ出し部は、上記筐体に保持されることが好ましい。
【００１６】
上記本発明に基づく画像読取装置にあっては、上記光学素子は、被読取体によって反射された光を結像するレンズ部と、接続部とを含んでいてもよい。この場合には、上記レンズ部は、副走査方向に対応する方向に沿って並ぶ第１レンズ部および第２レンズ部を有していてもよい。上記接続部は、上記第１レンズ部と上記第２レンズ部とを接続することが好ましい。さらに、上記反射ミラーは、上記副走査方向に対応する方向において、上記第１レンズ部と上記第２レンズ部との間に配置されることが好ましく、上記接続部は、上記反射ミラーに取り付けられていることが好ましい。
【００１７】
上記本発明に基づく画像読取装置にあっては、上記光学素子は、被読取体によって反射された光を結像するレンズ部と、上記レンズ部に対して副走査方向に対応する方向に沿って位置するように上記レンズ部に接続され、上記受光部に向かう光に交差可能に設けられた交差部とを含んでいてもよい。この場合には、上記交差部は、上記受光部に向かう光を絞る開口部を有することが好ましい。
【００１８】
上記本発明に基づく画像読取装置にあっては、上記反射ミラーは、上記交差部に対して、上記交差部に向けて入射される光の進行方向の前方側に位置し、上記開口部を通過した光を反射することが好ましい。
【００１９】
上記本発明に基づく画像読取装置にあっては、上記光学素子は、被読取体によって反射された光を結像するレンズ部を有し、上記レンズ部および上記反射ミラーは、上下方向に沿って並ぶように配置されていてもよい。
【００２０】
上記本発明に基づく画像読取装置にあっては、上記光学素子は、反射型の結像部材であってもよい。
【００２１】
上記本発明に基づく画像読取装置にあっては、上記光学素子は、被読取体によって反射された光を結像し、主走査方向に対応する方向に沿って並んで配置されるレンズ部を複数含んでいてもよい。この場合には、上記複数のレンズ部は、一体成形されていることが好ましい。
【発明の効果】
【００２２】
本発明によれば、簡素な構成で、光学素子を高精度に位置決めすることができる画像読取装置を提供することができる。
【図面の簡単な説明】
【００２３】
【図１】実施の形態１に係る画像読取装置の概略断面図である。
【図２】図１に示す画像読取装置に含まれる光学系の一部の前面側を示す斜視図である。
【図３】図１に示す画像読取装置に含まれる光学系の一部の背面側を示す斜視図である。
【図４】図３に示す押圧部材の第１変形例を説明するための概略断面図である。
【図５】図３に示す押圧部材の第１変形例を説明するための斜視図である。
【図６】図４に示す押圧部材の第２変形例を説明するための斜視図である。
【図７】実施の形態２に係る画像読取装置の概略図である。
【発明を実施するための形態】
【００２４】
以下、本発明の実施の形態について、図を参照して詳細に説明する。なお、以下に示す実施の形態においては、同一のまたは共通する部分について図中同一の符号を付し、その説明は繰り返さない。
【００２５】
（実施の形態１）
図１は、実施の形態１に係る画像読取装置の概略断面図である。図１を参照して、実施の形態１に係る画像読取装置１０について説明する。
【００２６】
図１に示すように、実施の形態１に係る画像読取装置１０は、プラテンガラス１上に載置された被読取体としての原稿２に対して、光源２０から光を出射し、原稿からの反射光を受光部４０により光電変換して画像を読み取る。画像読取装置１０は、光源２０と、受光部４０と、光学系３０と、筐体６０とを備える。
【００２７】
光源２０は、主走査方向（図１中における紙面垂直方向）に亘って被読取体に光を出射する。光源２０としては、たとえば、ＬＥＤ等を用いた照明ユニットを採用することができる。
【００２８】
受光部４０は、原稿２によって反射された光を受光する。受光部４０は、受光した光を光電変換する。受光部４０としては、半導体センサ等の撮像素子を用いることができる。受光部４０は、回路基板４１に搭載されている。回路基板４１には、光電変換された信号を処理する信号処理回路等が設けられている。
【００２９】
光学系３０は、原稿２によって反射された光を結像して受光部４０に導く。光学系３０は、原稿によって反射された光を反射させる複数の反射ミラー３１，３２，３３と、原稿２によって反射された光を結像する光学素子３５と、を含む。
【００３０】
複数の反射ミラー３１，３２，３３は、主走査方向から見た場合に、副走査方向（図１中左右方向）に沿って並んでいる。複数の反射ミラー３１，３２，３３としては、たとえば、平面反射ミラーを採用することができる。反射ミラー３１は、たとえば、上下方向に対して上端側が第反射ミラー３２から遠ざかる方向に傾斜している。反射ミラー３２，３３は、たとえば主走査方向および上下方向に平行に配置されている。反射ミラー３２，３３は、副走査方向に向かい合う。
【００３１】
光学素子３５は、レンズ部および接続部３５３を含む。レンズ部は、第１レンズ部３５１および第２レンズ部３５２を有する。第１レンズ部３５１および第２レンズ部３５２は、副走査方向に対応する方向に沿って並んで配置される。具体的には、第１レンズ部３５１および第２レンズ部３５２は、たとえば上下方向に並んで配置される。
【００３２】
接続部３５３は、第１レンズ部３５１と第２レンズ部３５２とを接続する。具体的には、接続部３５３は、第１レンズ部３５１の下端部と第２レンズ部３５２の上端部とを接続する。接続部３５３は、板状形状を有する。接続部３５３は、主走査方向および上下方向に平行に配置されている。
【００３３】
光学素子３５は、反射ミラー３３によって保持されている。具体的には、光学素子３５の接続部３５３の背面側に接着されている。接続部３５３は、当該接続部３５３に向けて入射される光の進行方向の前方側に位置する反射ミラー３３に固定されている。
【００３４】
光学素子３５のレンズ部および反射ミラー３３は、上下方向に沿って並んで配置されている。これにより、上下方向に落下する異物が、光学素子３５および反射ミラー３３に付着することを抑制することができる。
【００３５】
光学素子３５は、反射型の結像部材である。光学素子３５は、樹脂部材によって構成されている。第１レンズ部３５１および第２レンズ部３５２は、原稿によって反射された光を結像する結像系を構成する。
【００３６】
原稿２によって反射された光は、反射ミラー３１によって光学素子３５の第１レンズ部３５１に向けて反射される。第１レンズ部３５１に向けて反射され、第１レンズ部３５１に入射した光は、第１レンズ部３５１によって縮小されながら、反射ミラー３２に向けて反射される。
【００３７】
反射ミラー３２に向けて反射された光は、接続部３５３に設けられた後述の開口部３５６（図３参照）によって絞られ、反射ミラー３３に入射する。反射ミラー３３に入射した光は、反射されて、開口部３５６を通って反射ミラー３２に向かう。
【００３８】
反射ミラー３２に入射した光は、第２レンズ部３５２に向けて反射される。第２レンズ部３５２に向けて反射され、第２レンズ部３５２に入射した光は、第２レンズ部３５２によって縮小されながら、受光部４０に向けて反射される。
【００３９】
筐体６０は、光学系３０を収容する。筐体６０は、副走査方向（図１中矢印ＤＲ１方向）に沿って移動可能に構成されている。筐体６０を副走査方向に移動させながら、原稿２から反射される光を上記のように光学系３０にて受光部４０に導くことにより、原稿２の画像情報を読み取ることができる。
【００４０】
図２は、図１に示す画像読取装置に含まれる光学系の一部の前面側を示す斜視図である。図３は、図１に示す画像読取装置に含まれる光学系の一部の背面側を示す斜視図である。図２および図３を参照して、光学素子３５の詳細な形状、ならびに、光学素子３５および反射ミラー３３の固定構造について説明する。
【００４１】
図２および図３に示すように、光学系３０は、光学素子３５が反射ミラー３３によって保持されて一体化された部分を含む。光学素子３５は、主走査方向に対応する方向に沿って延在する。光学素子３５は、長手形状を有する。
【００４２】
光学素子３５は、複数のレンズ部として、複数の第１レンズ部３５１および複数の第２レンズ部３５２を含んでいる。複数の第１レンズ部３５１は、列状に配置されている。たとえば、複数の第１レンズ部３５１は、主走査方向に対応する方向に沿って並んで配置されている。
【００４３】
複数の第２レンズ部３５２は、複数の第１レンズ部３５１が並ぶ方向と平行な方向に列状に配置されている。複数の第２レンズ部３５２は、主走査方向に対応する方向に沿って並んで配置されている。複数の第２レンズ部３５２の各々は、複数の第１レンズ部３５１の各々に対応して配置されている。互いに対応する第１レンズ部３５１および第２レンズ部３５２は、副走査方向に対応する方向（本実施の形態においては上下方向）に沿って並んで配置されている。
【００４４】
複数の第１レンズ部３５１および複数の第２レンズ部３５２は、接続部３５３によって接続されている。接続部３５３は、複数の開口部３５６を有する。複数の開口部３５６は、主走査方向に対応する方向に沿って並んで配置されている。
【００４５】
複数の開口部３５６の各々は、対応する第１レンズ部３５１および第２レンズ部３５２の間に配置されている。複数の開口部３５６の各々は、対応する第１レンズ部３５１によって縮小されながら反射され、反射ミラー３２によって反射された光を通過させる。開口部３５６は、反射ミラー３２によって反射されて、受光部４０に向かう光を絞る。開口部３５６は、反射ミラー３３に近づくにつれて縮径するように設けられている。
【００４６】
このように、反射ミラー３３に保持される光学素子３５が開口部３５６を有することにより、光を絞るための絞りの位置を精度よく決定することができる。
【００４７】
また、反射ミラー３３が、接続部３５３に対して、接続部３５３に向けて入射される光の進行方向の前方側に位置し、開口部３５６を通過した光を反射する構成とし、当該開口部３５６を反射型の絞りとして利用することにより、光路を確保するために必要なスペースを小さくすることができる。
【００４８】
光学素子３５は、第１壁部３５４および第２壁部３５５をさらに含む。第１壁部３５４は、複数の第１レンズ部３５１の下端部に接続されている。第１壁部３５４は、第１レンズ部３５１に対して反射ミラー３２が位置する側とは反対側に突出する。第１壁部３５４は、板状形状を有する。第１壁部３５４は、主走査方向に対応する方向に沿って延在する。
【００４９】
第２壁部３５５は、複数の第２レンズ部３５２の上端部に接続されている。第２壁部３５５は、第２レンズ部３５２に対して反射ミラー３２が位置する側とは反対側に突出する。第２壁部３５５は、板状形状を有する。第２壁部３５５は、第１壁部３５４に平行に配置され、主走査方向に対応する方向に沿って延在する。第２壁部３５５は、第１壁部３５４に対して、副走査方向に対応する方向に間隔を空けて配置されている。
【００５０】
複数の第１レンズ部３５１、複数の第２レンズ部３５２、接続部３５３、第１壁部３５４および第２壁部３５５は、たとえば、樹脂部材を用いて射出成形によって一体に成形されている。
【００５１】
反射ミラー３３は、第１壁部３５４と第２壁部３５５との間に配置されている。反射ミラー３３は、板状形状を有する。反射ミラー３３は、主走査方向に対応する方向に沿って延在する。反射ミラー３３は、接続部３５３に対して反射ミラー３２が位置する側とは反対側から接続部３５３に固定されている。
【００５２】
反射ミラー３３は、光学素子３５からはみ出すはみ出し部３３１、３３２を有する。具体的には、はみ出し部３３１、３３２は、主走査方向に対応する方向に光学素子３５からはみ出す。はみ出し部３３１、３３２は、筐体６０内に設けられた保持部（不図示）によって保持される。このように、反射ミラー３３が筐体６０に保持されつつ、光学素子３５が反射ミラー３３に保持されることにより、光学素子３５を精度よく位置決めすることができる。また、組み付け時における光学素子３５および反射ミラー３３の撓みを抑制することができる。
【００５３】
画像読取装置１０は、反射ミラー３３を光学素子３５に向けて押圧する押圧部材５０をさらに備える。
【００５４】
押圧部材５０は、反射ミラー３３の有する反射面３３ａ（図１参照）にて反射される光路とは反対側に配置されている。このように、押圧部材５０が配置されることにより、押圧部材５０が光路に干渉することを防止できる。
【００５５】
押圧部材５０は、付勢部としての板バネ部５１、取付部としての第１挟持部５２、第２挟持部５３を含む。板バネ部５１は、副走査方向に対応する方向に沿って延在する。板バネ部５１は、押圧部材５０が光学素子３５に取り付けられた取付状態において、反射ミラー３３を接続部３５３に押し付けるように付勢されている。
【００５６】
第１挟持部５２および第２挟持部５３は、板バネ部５１の両端に設けられている。第１挟持部５２および第２挟持部５３は、互いに近づく方向に付勢されている。
【００５７】
反射ミラー３３が上述の第１壁部３５４と第２壁部３５５との間に配置された状態で、第１挟持部５２および第２挟持部５３との間に、第１壁部３５４および第２壁部３５５を挿入することにより、押圧部材５０が光学素子３５に取り付けられる。この際、板バネ部５１は、付勢力によって反射ミラー３３を接続部３５３に向けて押圧する。これにより、光学素子３５が反射ミラー３３に強固に固定される。
【００５８】
以上のように、実施の形態１に係る画像読取装置１０は、ガラス製の反射ミラー３３に近接して配置され、被読取体によって反射された光を結像する樹脂製の光学素子３５を反射ミラー３３によって保持する構成を有する。このように、剛性の高く精度よく構成されたガラス製の反射ミラー３３によって、ガラスより剛性の低い樹脂製の光学素子３５を保持することにより、光学素子３５自身の反りや、組み付け時における光学素子３５の撓みを抑制することができる。これにより、簡素な構成で、光学素子を高精度に位置決めすることができる。さらに、反射ミラー３３を平面反射ミラーとすることにより、高精度な平面に光学素子３５を倣わせることができ、さらに高精度に位置決めすることができる。
【００５９】
また、上述のように、光学素子３５として、透過型よりも面形状誤差が厳しく要求される反射型を用いる場合には、光学素子３５が反射ミラー３３に保持されることにより、光学素子を高精度に位置決めできるという効果がより大きく発揮される。
【００６０】
また、光学素子３５が長手方向に沿って延在して反りが発生しやすくなる場合であっても、複数のレンズ部等が一体に成形された光学素子３５が反射ミラー３３に保持されることにより、高精度に位置決めできるという効果がより大きく発揮される。
【００６１】
なお、押圧部材５０は、以下に示す第１変形例および第２変形例のように構成されていてもよい。
【００６２】
（押圧部材の第１変形例）
図４は、図３に示す押圧部材の第１変形例を説明するための概略断面図である。図５は、図３に示す押圧部材の第１変形例を説明するための斜視図である。図４および図５を参照して、第１変形例に係る押圧部材５０Ａについて説明する。
【００６３】
図４および図５に示すように、押圧部材５０Ａは、板状部５１Ａ、取付部としての第１引掛部５２Ａおよび第２引掛部５３Ａ、付勢部としての板バネ部５４、ならびに係合部５５を有する。
【００６４】
板状部５１Ａは、副走査方向に対応する方向に延在する。板状部５１Ａは、第１壁部３５４および第２壁部３５５に跨るように設けられている。第１引掛部５２Ａおよび第２引掛部５３Ａは、板状部５１Ａの両端に設けられている。第１引掛部５２Ａは、第１壁部３５４に引掛け可能に構成されている。第２引掛部５３Ａは、第２壁部３５５に引掛け可能に構成されている。
【００６５】
板バネ部５４は、板状部５１Ａの途中部に設けられている。板バネ部５４は、板状部５１Ａの主走査方向に突出するように設けられ、板状部５１Ａから遠ざかる方向に折り曲げられている。板バネ部５４は、折り返されることにより、押圧部材５０Ａが光学素子３５に取り付けられた取付状態において、反射ミラー３３を接続部３５３に向けて付勢される。
【００６６】
反射ミラー３３が上述の第１壁部３５４と第２壁部３５５との間に配置された状態で、第１引掛部５２Ａを第１壁部３５４に引掛け、第２引掛部５３Ａを第２壁部３５５に引掛けることにより、押圧部材５０が光学素子３５に取り付けられる。この際、板バネ部５４は、付勢力によって反射ミラー３３を接続部３５３に向けて押圧する。これにより、光学素子３５が反射ミラー３３に強固に固定される。
【００６７】
係合部５５は、筐体６０に設けられた被係合部に係合可能に構成されている。上記のように押圧部材５０を光学素子３５に取り付けた状態で、係合部５５を上記被係合部に取り付けることにより、より安定して、反射ミラー３３および光学素子３５を保持することができる。
【００６８】
（押圧部材の第２変形例）
図６は、図４に示す押圧部材の第２変形例を説明するための斜視図である。図６を参照して、第２変形例に係る押圧部材５０Ｂについて説明する。
【００６９】
図６に示すように、押圧部材５０Ｂは、接続部３５３に挿入可能に構成されている。押圧部材５０Ｂは、板状部５１Ａ、第１引掛部５２Ａ、第２引掛部５３Ａを有する。
【００７０】
板状部５１Ａは、矩形形状を有する。板状部５１Ａは、副走査方向に対応する方向において、第１レンズ部３５１と第２レンズ部３５２との間に配置される。板状部５１Ａは、押圧部材５０Ｂが取り付けられた状態において、接続部３５３に対して反射ミラー３３が位置する側とは反対側から接続部３５３に当接する。
【００７１】
第１引掛部５２Ａおよび第２引掛部５３Ａは、板状部５１Ａの両端に設けられている。第１引掛部５２Ａは、接続部３５３に設けられた挿通孔３５３ａに挿通可能に構成されている。第１引掛部５２Ａは、第１爪部５７を有する。第１爪部５７は、接続部３５３を向く反射ミラー３３の主面と反対側に位置する反射ミラー３３の主面に引掛け可能に構成されている。
【００７２】
第２引掛部５３Ａは、副走査方向に対応する方向において、第１引掛部５２Ａに対向する。第２引掛部５３Ａは、接続部３５３に設けられた挿通孔３５３ｂに挿通可能に構成されている。挿通孔３５３ｂと上記挿通孔３５３ａとは、副走査方向に対応する方向に並んで配置されている。第２引掛部５３Ａは、第２爪部５８を有する。第２爪部５８は、接続部３５３を向く反射ミラー３３の主面と反対側に位置する反射ミラー３３の主面に引掛け可能に構成されている。
【００７３】
第１引掛部５２Ａが挿通孔３５３ａに挿通され、かつ、第２引掛部５３Ａが挿通孔３５３ｂに挿通された状態で、第１爪部５７および第２爪部５８が反射ミラーに引っ掛かることにより、板状部５１Ａと第１爪部５７および第２爪部５８との間に押圧力が作用する。これにより、押圧部材５０Ｂは、反射ミラー３３を接続部３５３に向けて押圧する。この結果、光学素子３５が反射ミラー３３に強固に固定される。
【００７４】
上記のように、押圧部材５０、第１変形例に係る押圧部材５０Ａ、または第２変形例に係る押圧部材５０Ｂを用いて光学素子３５を反射ミラー３３に強固に固定することにより、使用環境下において、樹脂製の光学素子３５とガラス製の反射ミラー３３との間に熱膨張差が生じた場合でも、撓みを抑制することができる。
【００７５】
（実施の形態２）
図７は、実施の形態２に係る画像読取装置の概略図である。図７を参照して、実施の形態２に係る画像読取装置１０Ａについて説明する。
【００７６】
図７に示すように、実施の形態２に係る読取装置１０Ａは、透過型の光学素子３５Ａを用いて、光学系３０Ａが構成されている点において相違する。その他の構成については、ほぼ同様である。
【００７７】
光学系３０Ａは、原稿２によって反射された光を結像して受光部４０に導く。光学系３０Ａは、原稿によって反射された光を反射させる複数の反射ミラー３１，３２，３３，３４と、原稿２によって反射された光を結像する光学素子３５Ａと、を含む。
【００７８】
反射ミラー３１，３２，３３は、副走査方向に沿って並んでいる。反射ミラー３３，３４は、上下方向に沿って並んでいる。
【００７９】
光学素子３５Ａは、レンズ部および接続部３５３を含む。レンズ部は、第１レンズ部３５１および第２レンズ部３５２を有する。第１レンズ部３５１および第２レンズ部３５２は、副走査方向に対応する方向に沿って並んで配置される。具体的には、第１レンズ部３５１および第２レンズ部３５２は、たとえば上下方向に並んで配置される。
【００８０】
接続部３５３は、第１レンズ部３５１と第２レンズ部３５２とを接続する。具体的には、接続部３５３は、第１レンズ部３５１の下端部と第２レンズ部３５２の上端部とを接続する。接続部３５３は、板状形状を有する。接続部３５３は、主走査方向および上下方向に平行に配置されている。
【００８１】
光学素子３５Ａは、反射ミラー３３によって保持されている。具体的には、光学素子３５の接続部３５３の背面側に接着されている。接続部３５３は、当該接続部３５３に向けて入射される光の進行方向の前方側に位置する反射ミラー３３に固定されている。
【００８２】
光学素子３５Ａは、透過型の結像部材である。光学素子３５Ａは、樹脂部材によって構成されている。第１レンズ部３５１および第２レンズ部３５２は、原稿によって反射された光を結像する結像系を構成する。
【００８３】
原稿２によって反射された光は、反射ミラー３１によって光学素子３５Ａの第１レンズ部３５１に向けて反射される。第１レンズ部３５１に向けて反射され、第１レンズ部３５１に入射した光は、第１レンズ部３５１によって縮小されながら、反射ミラー３２に向かう。
【００８４】
第１レンズ部３５１を透過して反射ミラー３２に入射した光は、反射ミラー３３に向けて反射される。反射ミラー３３に向けて反射された光は、接続部３５３に設けられた開口部３５６によって絞られ、反射ミラー３２に入射する。反射ミラー３２に入射した光は反射され、開口部３５６を通って反射ミラー３４に向かう。
【００８５】
反射ミラー３４に入射された光は、第２レンズ部３５２に向けて反射される。第２レンズ部３５２に入射した光は、第２レンズ部３５２によって縮小されながら、受光部４０に向かう。
【００８６】
以上のように、実施の形態２に係る画像読取装置１０Ａは、ガラス製の反射ミラー３３に近接して配置され、被読取体によって反射された光を結像する樹脂製の光学素子３５Ａを反射ミラー３３によって保持する構成を有する。これにより、実施の形態２に係る画像読取装置１０Ａも、実施の形態１とほぼ同様の効果が得られる。
【００８７】
なお、光学系に含まれる反射ミラー、および光学素子の個数は、実施の形態１および実施の形態２のように限定されず、本発明の趣旨を逸脱しない範囲において、原稿２からの反射光を受光部に導くことができる限り、適宜変更することができる。
【００８８】
実施の形態１および実施の形態２においては、レンズ部が、複数の第１レンズ部３５１および複数の第２レンズ部３５２を含む場合を例示して説明したが、これに限定されず、複数の第１レンズ部３５１および複数の第２レンズ部３５２の一方を含んでいればよい。この場合には、複数の第１レンズ部３５１および複数の第２レンズ部３５２の一方が、反射ミラー３３に固定される。
【００８９】
実施の形態１および実施の形態２においては、複数の第１レンズ部３５１および複数の第２レンズ部３５２が射出成形によって一体に構成される場合を例示して説明したが、これに限定されず、光学素子に固定される限り、複数の第１レンズ部３５１の各々および複数の第２レンズ部３５２の各々が別体で構成されていてもよい。
【００９０】
実施の形態１および実施の形態２においては、反射ミラー３３のはみ出し部３３１，３３２が、主走査方向に対応する方向に沿って光学素子３５からはみ出す場合を例示して説明したが、これに限定されず、受光部４０に導かれる光と干渉しない範囲において、主走査方向に対応する方向と交差する方向にはみ出していてもよい。この場合においても、はみ出し部は、筐体６０に設けられた保持部に保持される。
【００９１】
以上、今回発明された実施の形態はすべての点で例示であって制限的なものではない。本発明の範囲は特許請求の範囲によって示され、特許請求の範囲と均等の意味および範囲内でのすべての変更が含まれる。
【符号の説明】
【００９２】
１  プラテンガラス、２  原稿、１０，１０Ａ  装置、２０  光源、３０，３０Ａ  光学系、３１，３２，３３，３４  反射ミラー、３３ａ  反射面、３５，３５Ａ  光学素子、４０  受光部、４１  回路基板、５０，５０Ａ，５０Ｂ  押圧部材、５１  板バネ部、５１Ａ  板状部、５２  第１挟持部、５２Ａ  第１引掛部、５３  第２挟持部、５３Ａ  第２引掛部、５４  板バネ部、５５  係合部、５７  第１爪部、５８  第２爪部、６０  筐体、３３１，３３２  はみ出し部、３５１  第１レンズ部、３５２  第２レンズ部、３５３  接続部、３５３ａ，３５３ｂ  挿通孔、３５４  第１壁部、３５５  第２壁部、３５６  開口部。
【図１】
2018078440.tif 000003
【図２】
2018078440.tif 000004
【図３】
2018078440.tif 000005
【図４】
2018078440.tif 000006
【図５】
2018078440.tif 000007
【図６】
2018078440.tif 000008
【図７】
2018078440.tif 000009